(57)【要約】 【解決手段】  フェイスカバーを収納した収納箱で、複数の連続するフェイスカバー群を形成し、境界の切目線に沿ってＺ状に折り畳んだ状態若しくはロール状に丸めた状態で、収納箱に収納し、収納箱の上面に取出し開口部を設けたことを特徴とするものである。【効果】  従来技術のように型枠のような芯材を用いることがないので、芯材により収納箱が嵩張ることない。また、フェイスカバーの半片を交互に重ね合わせて積層した場合、絡まってフェイスカバーが破れることが多かったが、Ｚ折り若しくはロール状に収納することにより絡まって破れることが少なくなる。【選択図】    図６
0003138589.tif 000002
【実用新案登録請求の範囲】
【請求項１】
フェイスカバーと当該フェイスカバーを内包する箱体とからなるフェイスカバー収納箱であって、
フェイスカバーは、一連のシート材を上辺が折り返し片となるように折り返して前面シートを後面シートの一部に重ね合わせ、前面シートの側辺と後面シートの側辺とを止着して前面シートの下辺を開放する袋状としたものであって、
複数のフェイスカバーの側辺同士をつなぎ合わせ、一のフェイスカバーともう一のフェイスカバーの境界に切目線を設けて、連続するフェイスカバー群を形成し、それらを丸めて収納箱に収納し、収納箱の上面に取出し開口部を設けたことを特徴とするフェイスカバー収納箱。
【請求項２】
フェイスカバー群は切目線に沿って交互にZ状に折り畳んだ状態で収納箱に収納したことを特徴とする請求項1記載のフェイスカバー収納箱。
【請求項３】
フェイスカバー群はロール状に丸めた状態で収納箱に収納したことを特徴とする請求項１記載のフェイスカバー収納箱
【考案の詳細な説明】
【技術分野】
【０００１】
本考案は、主に女性がブティック等で試着のときに顔面の化粧品や頭部の整髪料が試着品につかないように頭からかぶるフェイスカバーを一枚づつ取出し易く、かつ、取出時にフェイスカバーが絡まって破れないように収納した収納箱に関する。
【背景技術】
【０００２】
従来のフェイスカバー収納箱に関しては特許文献１に記載の先行技術が存在する。
個の場合には、フェイスカバーたる頭部被蔽具を折り重ねた複数のフェイスカバーを山折りしたうえで、山折り状態を保持するために芯材たる型枠を差し入れてある。
【０００３】
また、特許文献２に記載の先行技術も存在する。
この場合には、フェイスカバーを折り曲げた上で、折り曲げられた半片を交互に重ね合わせるように積層して収納したことを特徴とする。
【特許文献１】特開２０００−１０３４８３号公報
【特許文献２】実用新案登録公報第３１００２５５号公報
【考案の開示】
【考案が解決しようとする課題】
【０００４】
特許文献１に記載の先行技術では、芯材を差し入れるものであるから芯材の分だけ嵩張ることになり、収納箱が大型化ならざるを得なかった。
また、特許文献２に記載の先行技術では収納箱が大型化することはないが、フェイスカバーは使用者の顔面と頭部とを被覆するものであるからティッシュペーパーとは異なり、ある程度大きなものとなる。かかるフェイスカバーを交互に重ね合わせるので、取出そうとするフェイスカバーと箱内の他のフェイスカバーとが絡み合って破れることがあった。しかも、フェイスカバーは袋状となっており、特に本考案で使用される後面を延長させた袋状のフェイスカバーにあっては袋部分が他のフェイスカバーと絡み合って破れるなどの破損があった。
【０００５】
そこで、本考案で提供するフェイスカバー収納箱は、嵩張って箱が大型化するような芯材を用いずにフェイスカバーを収納できる収納箱であって、しかも、取出しにおいてフェイスカバーが絡み合って破れることが少なくなるフェイスカバー収納箱を提供する。
特に、前面シートを後面シート上の一部に重ね合わせ、後面シートが前面シートより長い袋状のフェイスカバーが破損することなく取出し易い収納箱を提供する。
【課題を解決するための手段】
【０００６】
本考案のフェイスカバー収納箱は、フェイスカバーと当該フェイスカバーを内包する箱体とからなるフェイスカバー収納箱であって、フェイスカバーは、一連のシート材を上辺が折り返し片となるように折り返して前面シートを後面シートの一部に重ね合わせ、前面シートの側辺と後面シートの側辺とを止着して前面シートの下辺を開放する袋状としたものであって、複数のフェイスカバーの側辺同士をつなぎ合わせ、一のフェイスカバーともう一のフェイスカバーの境界に切目線を設けて、連続するフェイスカバー群を形成し、それらを丸めて収納箱に収納し、収納箱の上面に取出し開口部を設けたことを特徴とするものである。
【０００７】
また、本考案のフェイスカバー収納箱に収納するフェイスカバー群は切目線に沿って交互にＺ状に折り畳んだ状態で収納箱に収納したことが好ましい。
【０００８】
また、本考案のフェイスカバー収納箱に収納するフェイスカバー群はロール状に丸めた状態で収納箱に収納したことが好ましい。
【考案の効果】
【０００９】
本考案のフェイスカバー収納箱によると、従来のようにフェイスカバーに型枠のような芯材を用いることがないのみならず、山折りにして収納箱に収納されているので、収納箱が嵩張ることない。
本考案のＺ折りにした収納によると、フェイスカバーの半片を交互に重ね合わせる積層方法ではなく、一枚づつ積層することになり、絡まったりする危険性が少ない収納であるから、従来のようにフェイスカバーが絡まって破れたりすることが少なくなる。
また、ロール状態による収納でも従来のようにフェイスカバーの半片を交互に重ね合わせる積層方法ではなく、単なる連続状態となっているもので一枚づつ積層している状態と変わりなく、絡まったりする危険性が少ない。そのため、従来のようにフェイスカバーが絡まって破れたりすることが少なくなる。
また、フェイスカバーは本来一枚づつ取出し口から取出されるべきであり、本考案のようにフェイスカバー群が連なっていると、一連で取出されそうであるが、切目線を設けておくことで、かかる切目線から各々連なっているフェイスカバーを容易に引きちぎることができ、これによりフェイスカバーを破ることなく一枚づつ取出すことができる。
【考案を実施するための最良の形態】
【００１０】
本考案の実施の形態を図面に沿って説明する。
図１は本考案のフェイスカバー収納箱の斜視図、図２ないし図３は本考案で収納するフェイスカバーを示す。図４ないし図５は複数のフェイスカバーを連続させたフェイスカバー群を示す。図６はフェイスカバー群をフェイスカバー収納箱に収納する状態を示す斜視図であり、図７は本考案の第２実施例、図８ないし図１０は従来技術である。
【００１１】
図８、図９に示す従来の収容装置１０１では、重ね合わせた頭部被蔽具１０２を略Ｕ字状に二つ折り（山折り）にしたうえでその内面に型枠１０３を挿入する。
この場合には型枠１０３に頭部被蔽具１０２が支えられる状態となるが、その反面、型枠１０３の高さ及び厚さ分だけ嵩張り、収容装置１０１が大きくならざるをえない。そこで、できるだけ小さくして使い勝手のよいフェイスカバー収納箱が望まれていた。
【００１２】
また、図１０に示す他の先行技術の場合には、このフェイスカバー１１１を収納するに当って、図８、図９の型枠１０３のような芯材を用いていないので嵩張ることがなく、箱体自体が大型化することはない。しかし、各々のフェイスカバー１１１を折り曲げたうえで折り曲げた半片を交互に重ね合わせて積層している。かかる収納方法では芯材がなく嵩張ることがないが、箱体の取り出し開口部からフェイスカバー１１１を引っ張り出すとき、折り曲げて交互に重ね合わされた半片が絡まって破れてしまうことが多くなる。
特に、図１０に示すフェイスカバー１１１は前面と後面が同じ大きさであるのに対して、後述する本考案のように前面シート１２が後面シート１３より小さい場合には、前面シート１２に後面シート１３が引っ掛かって絡まることがあり、使用上不便である。  そこで、本考案は収納箱が嵩張らずに、フェイスカバーが絡まることが少なく使用勝手のよいフェイスカバー収納箱１を提供する。
【００１３】
図１に示すように、本考案にかかるフェイスカバー収納箱１は複数のフェイスカバーを連続させたフェイスカバー群２を内部に収納して、取出し口３からフェイスカバー１１を取出すことができる収納箱である。
【００１４】
図２に示すように、前記フェイスカバー１１は、一枚の長方形状のシート材を上辺１６が折り返し片となるように折り返して前面シート１２を後面シート１３上の一部に重ね合わせる。すなわち、前面シート１２の面の大きさは後面シート１３の面の大きさの約半分となるように、上辺１６を折り返し辺としてシート材を二つ折りにする。そして、前面シート１２と後面シート１３の両側辺１５、１５を止着して、前面シート１２の下辺１４が解放された状態とすることで、袋状のフェイスカバー１１を形成する。シート材は保湿性のある紙状シートを用いることが好ましい。
【００１５】
袋状のフェイスカバー１１は前面シート１２の側辺１５の長さが後面シート１３の側辺１５の長さの約半分となっているので、いわば後面シート１３が前面シート１２より長い袋体の形状となっている。図３に示すように、このフェイスカバー１１は主としてブティックで、特に頭から被って着るセーターなどの試着において、使用者６の顔面につけた化粧品や頭部につけた整髪料が試着する服につかないようにするために使用するものである。フェイスカバー１１を使用する場合、前面シート１２が使用者６の顔面側に、後面シート１３が使用者６の後頭部側に来るようにかぶる。このように前面シート１２と後面シート１３の大きさが違うことで、後面シート１３は長髪の髪型であっても整髪料の試着商品への付着を防ぐことができ、前面シート１２は顔面をカバーすればよく、後面シート１３より小さくても顔面をカバーできる。また、前面シート１２が後面シート１３より小さくなることで使用者６の着脱が容易になる利点がある。
このように前面シート１２は使用者６の顔面を覆うものであるので、本実施例における前面シート１２の側辺長さが約２１．５ｃｍであるのに対し、後面シート１３は３９．５ｃｍである。
【００１６】
図１は本考案にかかるフェイスカバー収納箱１の第一実施例であり、上記フェイスカバー１１を収納して取り出し易くしたものである。
ファイスカバー収納箱１は幅が高さより少し長い直方体の形態であり、上面に取出し口３が開口されている。取出し口３の開口形状は楕円形状で、フェイスカバー収納箱１の内部から取出し口３を経てフェイスカバー１１を取出すことができる。
【００１７】
図５に示すように、本考案の第一実施例にかかるフェイスカバー収納箱１には、一連のフェイスカバー群２がＺ折りにして収納されている。
つまり、図４に示すように複数のフェイスカバー１１をその側辺１５で連続するように一連のフェイスカバー群２を形成する。一のフェイスカバー１１ともう一のフェイスカバー１１との境界となる側辺１５は切目線が形成され、使用者が容易にフェイスカバー１１を一枚づつ分離して使用できるようにしている。
一連のフェイスカバー群２のＺ折りは、側辺１５の切目線を基線に交互にＺ状となるように折り畳む方法である。
フェイスカバー群２を収納箱１に丸めて収納するものであるが、図５に示す実施例では、Ｚ折りにして折り畳んだ一連のフェイスカバー群２全体を略倒コの字状にさらに折り曲げるように丸めた上、フェイスカバー収納箱１に収納する。図６に示すフェイスカバー収納箱１は断面略正方形状の直方体の形状であり、収納箱の側面の開口部から内部に収納する。
【００１８】
かかる収納によると、図８や図９に示す従来技術のように頭部被蔽具１０２に型枠１０３のような芯材を用いることがないので、芯材により収納箱が嵩張ることない。
また、図１０に示す先行技術のようにフェイスカバー１１１を折り曲げたうえで折り曲げた半片を交互に重ね合わせて積層した場合、折り曲げて交互に重ね合わされた半片が絡まってフェイスカバー１１１が破れてしまうことが多くなる。本考案のフェイスカバー１１は前片が後片より小さい袋状の形態となっているので、袋状の部分に他のフェイスカバー１１が絡まって破れたりすることがあり、使用上不便である。
そこで、本考案のＺ折りにした収納によると、フェイスカバー１１の半片を交互に重ね合わせる積層方法ではなく、一枚づつ積層することになり、絡まったりする危険性が少ない収納であるから、従来技術のようにフェイスカバーが絡まって破れたりすることが少なくなる。
フェイスカバー１１は本来一枚づつ取出し口３から取出されるべきであり、本考案のようにフェイスカバー群２が連なっていると、一連で排出されそうであるが、フェイスカバー１１の側辺１５に切目線を設けておくことで、かかる切目線から連なっているフェイスカバー１１を容易に引きちぎることができ、これによりフェイスカバー１１を破ることなく一枚づつ取出すことができる。
【００１９】
次に本考案の第二実施例を図７に示す。
この第二実施例は一連のフェイスカバー群２をＺ折りにするのではなく、ロール状に丸めてフェイスカバー収納箱１に収納するものである。ロール芯を用いずに一連のフェイスカバー群２を丸めることにより、多量のフェイスカバーを嵩張ることなく収納できる。
図７に示す第二実施例においても、断面が略正方形状の直方体のフェイスカバー収納箱１の側面からロール状にしたフェイスカバー群２を入れて収納する。
【００２０】
かかる収納であっても、図８、図９に示す従来技術のように頭部被蔽具１０２に型枠１０３のような芯材を用いることがないので、芯材により収納箱が嵩張ることない。
また、ロール状態による収納でも従来技術のようにフェイスカバー１１１の半片を交互に重ね合わせる積層方法ではなく、単なる連続状態となっているもので一枚づつ積層している状態と変わりなく、絡まったりする危険性が少ない。そのため、従来技術のようにフェイスカバーが絡まって破れることが少なくなる。
第二実施例におけるフェイスカバー収納箱１も、図１に示す場合と同様にフェイスカバー１１を一枚づつ取出し口３から取出すことができる。フェイスカバー群２が連なっていると、一連で取出されるが、フェイスカバー１１の側辺１５に切目線を設けておくことで、かかる切目線から連なっているフェイスカバー１１を容易に引きちぎることができ、これによりフェイスカバー１１を破ることなく一枚づつ取出すことができる。
【図面の簡単な説明】
【００２１】
【図１】図１は、本考案にかかるフェイスカバー収納箱の一例を示す斜視図である。
【図２】図２は、本考案のフェイスカバー収納箱に収納するフェイスカバーの一例を示す斜視図である。
【図３】図３は、フェイスカバーを使用している状態を示す斜視図である。
【図４】図４は、複数のフェイスカバーを連続させたフェイスカバー群を示す正面図である。
【図５】図５は、フェイスカバー群をＺ折りにする状態を示す斜視図である。
【図６】図６は、Ｚ折りにしたフェイスカバー群をフェイスカバー収納箱に収納する状態を示す斜視図である。
【図７】図７は、本考案の第二実施例を示す斜視図である。
【図８】図８は、型枠を用いた従来技術を示す斜視図である。
【図９】図９は、型枠を用いた従来技術を示す斜視図である。
【図１０】図１０は、フェイスカバーの半片を交互に積層した従来技術を示す正面図である。
【符号の説明】
【００２２】
１…フェイスカバー用収納箱
２…フェイスカバー群
３…取出し口
６…使用者
１１…フェイスカバー
１２…前面シート
１３…後面シート
１４…下辺
１５…側辺
１６…上辺
１０１…収容装置
１０２…頭部被蔽具
１０３…型枠
１１１…フェイスカバー
【図１】
0003138589.tif 000003
【図２】
0003138589.tif 000004
【図３】
0003138589.tif 000005
【図４】
0003138589.tif 000006
【図５】
0003138589.tif 000007
【図６】
0003138589.tif 000008
【図７】
0003138589.tif 000009
【図８】
0003138589.tif 000010
【図９】
0003138589.tif 000011
【図１０】
0003138589.tif 000012